(57)【要約】【課題】複数の可動体を簡易な構成でそれぞれ往復動作させることが可能な可動演出ユニットを備えた遊技機を提供すること。【解決手段】可動演出ユニットは、ユニット本体と、前後方向に揺動自在な揺動アームと、該揺動アームの後側に配置される固定アームと、揺動アームの先端部と固定アームの先端部を連結するようにそれぞれに回転自在に軸支される可動体と、揺動アームを前方向に付勢可能な付勢部材と、揺動アームに設けられるカム従動部を後方向に押圧可能なカムと、カムを回転動させる回転駆動源とを備え、可動体は、ユニット本体の一側面側に複数並んで配置されると共に、揺動アーム、固定アーム、付勢部材およびカムは、複数の可動体と対になるようにユニット本体に複数設けられ、複数のカムは、ユニット本体の内部に回転自在に設けられて回転駆動源によって回転動される回転軸に並設されている。【選択図】図１０
2011224164.tif 000002
【特許請求の範囲】
【請求項１】
遊技の進行状況に応じて該遊技を演出する可動演出ユニットが設けられた遊技機において、
前記可動演出ユニットは、ユニット本体と、所定の往復方向に揺動自在な揺動アームと、固定アームと、前記揺動アームの一部と前記固定アームの一部を互いに連結するようにそれぞれに回転自在に軸支される可動体と、前記揺動アームを所定の往復方向のうち一方の方向に付勢可能な付勢部材と、前記揺動アームに設けられるカム従動部を所定の往復方向のうち他方の方向に押圧可能なカムと、前記カムを回転動させる回転駆動源とを備え、
前記可動体は、前記ユニット本体の一側面側に複数並んで配置されると共に、前記揺動アーム、前記固定アーム、前記付勢部材および前記カムは、前記複数の可動体と対になるように前記ユニット本体に複数設けられ、前記複数のカムは、前記ユニット本体の内部に回転自在に設けられて前記回転駆動源によって回転動される回転軸に並設されており、
前記回転駆動源によって回転動する前記回転軸の回転動による前記各カムの往復回転動に連動して、前記各可動体が第１位置と第２位置の間を往復動作されるようにしたことを特徴とする遊技機。
【請求項２】
前記揺動アームは、その基端部が前記ユニット本体に回転自在に軸支されると共に、前記固定アームは、その基端部が前記ユニット本体に固定されていることを特徴とする請求項１に記載の遊技機。
【請求項３】
前記固定アームは、前記揺動アームの揺動経路に重ならないように該揺動アームと横並びになるように配置されていることを特徴とする請求項１または２に記載の遊技機。
【請求項４】
前記揺動アームは、その基端部から側方に向かうと共に傾斜するように延設された揺動アーム傾斜部を有すると共に、前記固定アームは、その基端部から側方に向かうと共に傾斜するように延設された固定アーム傾斜部を有していることを特徴とする請求項１から３のいずれか一項に記載の遊技機。
【請求項５】
前記可動演出ユニットは、前記ユニット本体を所定方向にスライド可能にするスライド機構を備えていることを特徴とする請求項１から４のいずれか一項に記載の遊技機。
【請求項６】
前記スライド機構は、前記ユニット本体の一端をスライド可能に支持する前記所定方向に延びたガイドレールと、前記ユニット本体の他端に固定され前記所定方向に延びるラックギア部材と、該ラックギア部材に噛合するピニオンギアと、該ピニオンギアを回転駆動させるギア回転駆動源とを有していることを特徴とする請求項５に記載の遊技機。
【請求項７】
前記ユニット本体は、当該遊技機の所定方向両側に対になって設けられると共に、前記一対のユニット本体のそれぞれに設けられた前記可動体は、互いに対向するように配置されていることを特徴とする請求項５または６に記載の遊技機。
【発明の詳細な説明】
【技術分野】
【０００１】
本発明は、パチンコ遊技機などの遊技機に関し、更に詳しくは、遊技の進行状況に応じて可動体を往復動作させて遊技を演出する可動演出ユニットが設けられた遊技機に関するものである。
【背景技術】
【０００２】
従来、この種の可動演出ユニットとしては、下記特許文献１に開示されるようなカジキマグロを象ったものがある。
【０００３】
この特許文献１の例えば図５に記載される可動演出ユニット１１には、カジキマグロの頭部１７を胴部１６に対して前後に往復動作させる往復動機構が備えられている。この往復動機構は、胴部１６の先端に設けられた頭部支持部２２と、頭部１７の側端部に設けられ頭部支持部２２を上下で挟持する一対のアーム部３４，３５と、胴部１６の内部に取り付けられる電磁ソレノイド４０を有している。また、往復動機構は、胴部１６の内部に設けられた一対のアーム支持部２７，２８と、そのアーム支持部２７，２８に挿通される伝達アーム４３と、頭部１７の側端部に設けられたアーム部３４の掛止部３７と胴部１６の内部に設けられた掛止部２９とに掛止される復帰バネ４４を有している。
【０００４】
この場合、この往復揺動機構においては、電磁ソレノイド４０のプランジャ４２の動きに連動して伝達アーム４３をスライドさせ、そのスライドされた伝達アーム４３の先端当接部６８によって頭部１７に設けられたアーム部３５を押圧することにより、頭部１７を胴部１６に対して前後に往復動作させることが可能になっている。
【先行技術文献】
【特許文献】
【０００５】
【特許文献１】特開平２００５−１３５１２号公報
【発明の概要】
【発明が解決しようとする課題】
【０００６】
しかしながら、このような可動演出ユニットにおいては、例えば上述した頭部などの可動体を複数設けて、それぞれの可動体を往復動作させる場合には、上述した電磁ソレノイド等の駆動源を有する往復動機構を、それら複数の可動体それぞれに対して対になるように複数設ける構成にする必要があるが、そのような複数の駆動源を有する構成ではその機構が非常に複雑になるため、複数の可動体をそれぞれ安定して往復動作させることが困難になると共に、遊技機という限られた空間にそのような複雑な構成を有する往復動機構を配置することが困難になる等のおそれがあった。
【０００７】
そこで、本発明は、複数の可動体を簡易な構成でそれぞれ往復動作させることが可能な可動演出ユニットを備えた遊技機を提供することを目的とする。
【課題を解決するための手段】
【０００８】
上記課題を解決するために本発明は、遊技の進行状況に応じて該遊技を演出する可動演出ユニットが設けられた遊技機において、前記可動演出ユニットは、ユニット本体と、所定の往復方向に揺動自在な揺動アームと、固定アームと、前記揺動アームの一部と前記固定アームの一部を互いに連結するようにそれぞれに回転自在に軸支される可動体と、前記揺動アームを所定の往復方向のうち一方の方向に付勢可能な付勢部材と、前記揺動アームに設けられるカム従動部を所定の往復方向のうち他方の方向に押圧可能なカムと、前記カムを回転動させる回転駆動源とを備え、前記可動体は、前記ユニット本体の一側面側に複数並んで配置されると共に、前記揺動アーム、前記固定アーム、前記付勢部材および前記カムは、前記複数の可動体と対になるように前記ユニット本体に複数設けられ、前記複数のカムは、前記ユニット本体の内部に回転自在に設けられて前記回転駆動源によって回転動される回転軸に並設されており、前記回転駆動源によって回転動する前記回転軸の回転動による前記各カムの往復回転動に連動して、前記各可動体が第１位置と第２位置の間を往復動作されるようにしたことを要旨とするものである。
【０００９】
上記構成を有する遊技機によれば、可動演出ユニットは、ユニット本体の一側面側に並んで配置される複数の可動体と、この可動体と対になって設けられ、各可動体を所定方向に往復揺動可能にする複数の揺動アームおよび固定アームと、これら揺動アームおよび固定アーム揺動アームと対になって設けられ、各揺動アームを所定の往復方向のうち一方の方向に付勢する複数の付勢部材および各揺動アームに設けられたカム従動部を所定の往復方向のうち他方の方向に押圧する複数のカムと、これら複数のカムを往復回転動させる回転駆動源を備えた構成になっているので、複数のカムが並設された一の回転軸を一の回転駆動源で往復回転動させるだけで、複数の可動体が連動するように所定方向にそれぞれ安定して往復揺動させることが可能になっている。
【００１０】
したがって、複数の可動体をそれぞれ所定方向に往復揺動させるために複数の駆動源を用いることなく、複数の可動体のそれぞれの往復揺動を一の駆動源で安定して連動させることが可能となっている。したがって、このような複数の可動体をそれぞれ往復揺動させるための機構が複雑化してしまうことが抑制されると共に、遊技機という限られた空間にこのような可動演出ユニットをコンパクトに配置することが可能となっている。
【００１１】
この場合、前記揺動アームは、その基端部が前記ユニット本体に回転自在に軸支されると共に、前記固定アームは、その基端部が前記ユニット本体に固定されている構成にすると良い。このような構成によれば、揺動アームをその基端部を中心にして所定方向に揺動させるだけで、可動体を固定アームの一部を中心に所定方向に往復揺動させることができるので、可動体を、揺動アームの一部および固定アームの一部において容易、かつ安定して往復揺動させることが可能である。
【００１２】
また、前記固定アームは、前記揺動アームの揺動経路に重ならないように該揺動アームと横並びになるように配置されている構成にすると良い。このような構成によれば、所定方向に揺動する揺動アームが固定アームと干渉することが防止されると共に、固定アームが揺動アームと往復揺動の方向において重なるように配置される場合と比べて、揺動アームの揺動可能範囲を広く（揺動経路を長く）することができるので、それに伴って可動体の所定方向への往復動作範囲を大きくすることが可能となり、その演出効果を更に向上させることができる。
【００１３】
更に、前記揺動アームは、その基端部から側方に向かうと共に傾斜するように延設された揺動アーム傾斜部を有すると共に、前記固定アームは、その基端部から側方に向かうと共に傾斜するように延設された固定アーム傾斜部を有している構成にすると良い。このような構成によれば、例えば、ユニット本体の前面よりも前方の位置に、つまり遊技者により近い位置に、揺動アームの一部および固定アームの一部にそれぞれ軸支された可動体を配置することができるので、可動体の往復動作をより目立たせることが可能となり、その演出効果をより際立たせることができる。
【００１４】
また、前記可動演出ユニットは、前記ユニット本体を所定方向にスライド可能にするスライド機構を備えている構成にすると良い。このような構成によれば、複数の可動体が設けられたユニット本体が所定方向に移動可能になっているので、更にその演出効果を向上させることができる。
【００１５】
更に、前記スライド機構は、前記ユニット本体の一端をスライド可能に支持する前記所定方向に延びたガイドレールと、前記ユニット本体の他端に固定され前記所定方向に延びるラックギア部材と、該ラックギア部材に噛合するピニオンギアと、該ピニオンギアを回転駆動させるギア回転駆動源とを有している構成にすると良い。このような構成によれば、簡易な機構でユニット本体を所定方向にスライドさせることができると共に、スライド機構の大型化が抑制される。
【００１６】
この場合、前記ユニット本体は、当該遊技機の所定方向両側に対になって設けられると共に、前記一対のユニット本体のそれぞれに設けられた前記可動体は、互いに対向するように配置されている構成にすると良い。このような構成によれば、可動体が設けられた２つのユニット本体を遊技機の所定方向両側から接近させ、その接近させた状態でそれぞれに設けられた可動体を所定方向に往復動作させる等の種々なる態様で遊技を演出することが可能であり、更に可動演出ユニットによる演出効果を向上させることができる。
【発明の効果】
【００１７】
上記構成を有する遊技機によれば、複数の可動体をそれぞれ所定方向に往復動作させるために複数の駆動源を用いることなく、複数の可動体のそれぞれの往復動作を一の駆動源で安定して連動させることが可能となっており、このような複数の可動体をそれぞれ往復動作させるための機構が複雑化してしまうことが抑制されると共に、遊技機という限られた空間にこのような可動演出ユニットをコンパクトに配置することが可能となっている。
【図面の簡単な説明】
【００１８】
【図１】本発明の一実施形態に係る遊技機の一例を示した正面図である。
【図２】図１の遊技盤が備えるセンター役物の第１炎装飾部材および第２炎装飾部材が待機位置にある状態を示した正面図である。
【図３】図１の遊技盤が備えるセンター役物の第１炎装飾部材および第２炎装飾部材が露出位置にある状態を示した正面図である。
【図４】図３の第２炎装飾部材が手前側に起きた状態を示した正面図である。
【図５】センター役物（可動演出ユニット）を前面側から見た外観斜視図である。
【図６】センター役物（可動演出ユニット）を背面側から見た外観斜視図である。
【図７】可動演出ユニットが備えるユニット本体およびスライド機構を前面側から見た外観斜視図である。
【図８】可動演出ユニットが備えるユニット本体およびスライド機構を背面側から見た外観斜視図である。
【図９】ユニット本体を前面側から見た分解斜視図である。
【図１０】ユニット本体を背面側から見た分解斜視図である。
【図１１】（ａ）は可動体、揺動アームおよび固定アームの組み立て前の状態を背面側から見た外観斜視図、（ｂ）は（ａ）の組み立て後の状態を背面側から見た外観斜視図である。
【図１２】ユニット本体の可動体、揺動アームおよび固定アームが配設された箇所の断面図である。
【図１３】図１２のユニット本体の動作を示した断面図である。
【図１４】図１３のユニット本体の次の動作を示した断面図である。
【図１５】ユニット本体のモータが配設された箇所の断面図である。
【発明を実施するための形態】
【００１９】
以下、本発明に係る遊技機の実施の形態について図面を参照して詳細に説明する。図１は本発明の実施形態に係る遊技機を示した正面図である。図示されるように、遊技機１はパチンコ遊技機である。
【００２０】
この遊技機１には、所要の奥行きを有する額縁形状に形成された機枠２を備えており、その機枠２の前面側には、左側縁が軸着されて前方に開閉可能に前面枠３が取り付けられ、その前面枠３に対して左側縁が軸着されて前面側に開閉可能に形成されたガラス枠４が取り付けられている。
【００２１】
尚、以下の説明においては、遊技機１の前面とは、遊技機１の正面側（遊技者が遊技を行う側）のことであり、遊技機１の裏面或いは後方とは遊技機１の背面側のことである。また遊技機１の左側、右側、上側、下側とは、遊技機１を正面側（遊技者側）から見た場合の左側、右側、上側、下側のことである。また、遊技機１を構成する各構成部材においても、表側、裏側、前面側、後側等という場合、特に断りがない限り、遊技機１に装着された状態での表側、裏側、前面側、後側方向等である。
【００２２】
図１に示されるように、ガラス枠４には、遊技盤５の位置にガラス板またはプラスチック板等の透明板が嵌め込まれている。ガラス枠４には、この透明板を通して前面側から遊技盤５の遊技領域６を視認可能である。ガラス枠４には、遊技領域６へ発射するための遊技球を入れる上皿ユニット７が一体に形成されている。上皿ユニット７には、貯留されている遊技球を下皿ユニット８に流下させるための上皿操作部９や、貸し出し可能な貸し球を払い出すための球貸し操作部等が設けられている。また、ガラス枠４の上部左右両側には、スピーカ１０，１０が設けられ、更にその下側には装飾ランプ１１，１１が設けられている。
【００２３】
図１に示されるように、前面枠３のガラス枠４の下方には、左側縁が軸着されて前面枠３に対して開閉可能な下皿ユニット８が組み付けられている。また、前面枠３の右下には、遊技球を発射操作するためのタッチスイッチを備える発射ハンドル１２が設けられている。下皿ユニット８は、払い出された遊技球のうち上皿ユニット７に入りきらない遊技球を貯めることが可能である。下皿ユニット８には、遊技球を下方に落下させるための下皿操作部１３等が設けられている。
【００２４】
図２は図１の遊技盤５を示す正面図である。遊技盤５は、ほぼ正方形の合板により成形されており、前面枠３に着脱可能に取り付けられている。この遊技盤５には、発射装置から発射された遊技球をガイドするための金属製の薄板からなる帯状の内側ガイドレール１４および外側ガイドレール１５が略円弧形状に立設されており、このガイドレール１４，１５によって遊技領域６の外郭の一部が形成されている。
【００２５】
図２に示されるように、遊技盤５の遊技領域６には、その中心線上において上から順に表示装置１７、電動チューリップからなる始動入賞口１８、長方形の開口部を開閉可能に覆っている蓋からなるアタッカー形式の特別入賞口１９、アウト口２０が配置されている。また、表示装置１７の左側の遊技領域６には、風車２１や、流下する遊技球が衝突することにより遊技球の流下態様に変化を与える障害物としての図示しない遊技釘が複数立設されている。遊技領域６を流下する遊技球は、遊技釘に衝突したときの条件に応じて様々な態様に変化して流下される。
【００２６】
表示装置１７としては、液晶表示パネルが適用されており、その表示画面において特別図柄や普通図柄等が表示されるようになっている。この表示装置１７の前面の一部と周囲には、遊技の装飾効果（遊技演出効果）を高めるためのセンター役物３０が配設されている。センター役物３０は、前面側装飾部材４０と可動演出ユニット５０などを備えている。前面側装飾部材４０は、遊技盤５の前面側に設けられており、その略中央には表示装置１７を視認可能な開口部４０ａが形成され、表示装置１７の周囲を装飾している。また、前面側装飾部材４０には、その枠形状に沿って複数の装飾ランプが備えられている。
【００２７】
可動演出ユニット５０は、表示装置１７の左右両側に配置される炎の模様が付された第１炎装飾部材４１，４１を備えている。この第１炎装飾部材４１，４１は、図２に示されるような前面側装飾部材４０の左右両側の装飾枠部４０ｂ，４０ｃの背面側に隠れるように配置される待機位置Ｐ１と、図３に示されるように前面側装飾部材４０の開口部４０ａ内に現れる（露出される）ように配置される露出位置Ｐ２との間を、スライドするようにそれぞれ左右に往復移動できるようになっている。更に、図４に示されるように、露出位置Ｐ２において、第１炎装飾部材４１，４１のそれぞれの内側の側面に設けられた炎の形状を模した複数の第２炎装飾部材４２，４２を前後に、この場合、図３に示される奥側に寝た姿勢（第１位置）と図４に示される手前側に起きた姿勢（第２位置）との間で往復揺動可能になっている。
【００２８】
例えば、入賞装置に遊技球が入賞して表示装置１７で表示図柄がリーチになる等、遊技状態が変化して、遊技機１に備えられる制御回路等が可動演出ユニット５０を駆動させる命令が発生すると、第１炎装飾部材４１，４１は、図２に示されるような装飾枠部４０ｂ，４０ｃの背面側に隠れるように配置される待機位置Ｐ１から、図３に示されるような前面側装飾部材４０の開口部４０ａ内に現れる（露出される）ように配置される露出位置Ｐ２に移動させられるようになっている。このような第１炎装飾部材４１，４１の移動は、可動演出ユニット５０が備える後述のスライド機構９０によってなされる。
【００２９】
そして、更に遊技状態が変化して制御回路が可動演出ユニット５０を駆動させる命令が発生すると、露出位置Ｐ２において、第１炎装飾部材４１，４１のそれぞれの内側の側面に設けられた第２炎装飾部材４２，４２を、図３に示される奥側に寝た姿勢（第１位置）から図４に示される手前側に起きた姿勢（第２位置）に移動させられるようになっている。このような第２炎装飾部材４２，４２の移動（姿勢変化）は、可動演出ユニット５０が備える後述のユニット本体６０によってなされる。
【００３０】
尚、特に図示しないが、遊技機１の背面側には、枠用外部端子基板、表示制御基板、主制御基板、音声制御基板、ランプ制御基板、払出制御基板、発射制御基板、電源基板等の各種基板や、カードインターフェース接続部、球タンク、タンクレール、屈曲樋、球切れ検出スイッチ、球払出装置，球排出樋、発射装置等の遊技機構成部材が設けられている。
【００３１】
このような遊技機１においては、発射ハンドル１２の操作により発射装置から遊技領域６に遊技球を発射すると、遊技球が遊技領域６の表面を転動しながら落下し、その遊技球が始動入賞口１８、特別入賞口１９等の入賞口に入ると、所定数の賞球遊技球が、払い出されるように構成されている。
【００３２】
図５は、センター役物３０が備える可動演出ユニット５０を前面側から見た外観斜視図、図６はセンター役物３０が備える可動演出ユニット５０を背面側から見た外観斜視図を示している。尚、これら図５および図６においては、遊技盤５、表示装置１７および前面側装飾部材４０の記載は省略されている。  
【００３３】
また、図７は、ユニット本体６０とスライド機構９０を前面側から見た外観斜視図、図８は、ユニット本体６０とスライド機構９０の要部を背面側から見た外観斜視図である。尚、これら図７および図８においては、第１炎装飾部材４１および第２炎装飾部材４２の記載が省略されている。また、第１装飾部材４１の背面側に配置される図９および図１０に示されるＬＥＤ基板７５の記載も省略されている。
【００３４】
図５および図６に示されるように、可動演出ユニット５０は、センターベース５１、ユニット本体６０、スライド機構９０などを備えている。センターベース５１は、ユニット本体６０とスライド機構９０などの部材を取り付けるための枠体状の部材である。
【００３５】
尚、前面側装飾部材４０は遊技盤５の前面側に装着され、可動演出ユニット５０は遊技盤５に背面側に装着されるようになっており、遊技盤５は前面側装飾部材４０と可動演出ユニット５０との間に挟み込まれるように配設されるように構成されている。
【００３６】
センターベース５１は、表示装置１７の周囲を囲むように形成されており、その中央部分には、表示装置１７を視認可能にするための開口部５１ａが設けられている。図６に示されるように、このセンターベース５１の背面側には、開口部５１ａの周囲に表示装置１７を取り付けるための表示装置取付部５１ｂが設けられている。また、図５に示されるように、センターベース５１の前面側は、各種部材を取り付けたり収納したりするための額縁状の枠体として形成されており、遊技盤５に略並行な面である平面部５１ｃと、その平面部５１ｃの外周縁から前面に向かって立設される側壁部５１ｄとから構成される。
【００３７】
図５〜図８に示されるように、ユニット本体６０は、一方の側面に配置された複数の可動体６３（第２炎装飾部材４２）を前後方向に往復動作（揺動動作）させることが可能になっている。また、スライド機構９０は、対になって設けられたユニット本体６０，６０を左右方向にスライド往復移動させること可能になっており、ユニット本体６０，６０を接近させたり離間させたりすることができるようになっている。
【００３８】
この場合、対になって設けられた２つのユニット本体６０，６０は、左右対称の同一の構造（形状）を有しており、左側に配置されるユニット本体６０の右側面に複数の可動体６３が設けられ、右側に配置されるユニット本体６０の左側面に複数の可動体６３が設けられている。したがって、両ユニット本体６０，６０が備える可動体６３，６３（第２炎装飾部材４２，４２）は互いに向き合うように配置されている。
【００３９】
先ず、このようなユニット本体６０，６０を左右方向にスライドさせるスライド機構９０について説明する。図７および図８に示されるようにスライド機構９０は、ユニット本体６０，６０の下端を左右方向にスライド可能にガイドするために、左右方向に延びたガイドレール９１，９１を備えている。また、スライド機構９０は、ユニット本体６０，６０の上端に固定され左右方向に延びるラックギア部材９５，９５と、これらラックギア部材９５，９５に噛合するピニオンギア９６，９６と、これらピニオンギア９６，９６を回転駆動させるギア回転駆動源としてのモータ９７，９７と、位置検出用基板１０２，１０２と、これらの部材が取り付けられるフレーム９３を備えている。尚、図８においては、フレーム９３の記載が省略されている。
【００４０】
ガイドレール９１は、左右方向に延びる樋形状を有しており、その上面には下方に凹設されたガイド溝９１ａが形成されている。この場合、ユニット本体６０下端面の左右二箇所には、ガイドローラー９２が回転可能に軸支されており、このガイドローラー９２がガイドレール９１の内部のガイド溝９１ａの側壁に沿って転動可能となっている。これらガイドレール９１，９１は、センターベース５１の開口部５１ａの下方位置に取付可能になっている。
【００４１】
また、ユニット本体６０，６０の上端には、ラックギア部材９５，９５が取付固定されている。この場合、ラックギア部材９５は、左右方向に沿って歯が形成されたギア部９５ａと、このギア部９５ａから下方に延設された取付部９５ｂを備えた略逆Ｌ字形状を有している。取付部９５ｂは、ユニット本体６０の上端にネジ止め等によって固定可能になっている。
【００４２】
ラックギア部材９５のギア部９５ａは、フレーム９３に固定された左右方向に延びるスライドレール９４にスライド可能に取り付けられている。この場合、フレーム９３は、左右に横長の略長方形状を有しており、センターベース５１の開口部５１ａの上方位置に取付可能になっている。
【００４３】
また、フレーム９３の左右両側には、略矩形状のギアボックス１０１，１０１が取付可能になっている。図８に示されるように、このギアボックス１０１の背面側には、モータ９７が取付固定されている。また、図７に示されるように、ギアボックス１０１の前面側には、モータ９７の駆動軸９７ａに固定された駆動ギア９８と、この駆動ギア９８に噛み合うピニオンギア９６が回転自在に軸支されている。この場合、ギアボックス１０１，１０１は、そのピニオンギア９６，９６が、ラックギア部材９５，９５のギア部９５ａ，９５ａと噛み合うように配置されている。ギア回転駆動源であるモータ９７としては、ステッピングモータが適用されており、駆動ギア９８を正転方向に所定の回転数で回転させたり、反転方向に所定の回転数で回転させたりすることが可能になっている。
【００４４】
図８に示されるように、ラックギア部材９５の取付部９５ｂの背面には、位置検出用突起部９５ｃが後方に向かって突出形成されている。また、この位置検出用突起部９５ｃの背面側に配置される位置検出用基板１０２の前面には、位置検出スイッチ１０３が設けられている。この位置検出スイッチ１０３は、一対の対向検知部１０３ａ，１０３ａを有しており、各対向検知部１０３ａ，１０３ａには図示しない位置検出素子が内蔵されている。これら一対の位置検出素子は、相互間で信号（例えば赤外線）を送受信することが可能になっている。
【００４５】
ラックギア部材９５の取付部９５ｂの背面に形成された位置検出用突起部９５ｃは、位置検出スイッチ１０３の一対の対向検知部１０３ａ，１０３ａ間に受容可能になっており、図８に示されるように、対向検知部１０３ａ，１０３ａによる信号の送受信は、位置検出用突起部９５によって遮られており、この状態のラックギア部材９５の位置を原点（基準）としてモータ９７を所定回転数で駆動することで、ラックギア部材９５を介してユニット本体６０を左右方向に所定距離で往復移動させることが可能になっている。
【００４６】
次に、ユニット本体６０について図９〜図１５を用いて説明する。この場合、左右一対のユニット本体６０，６０は、上述したように左右対称の同一の構造（形状）を有しているので、以下の説明では、主に左側に配置されるユニット本体６０について説明し、右側に配置されるユニット本体６０についての説明は省略する。
【００４７】
図９は、左側に配置されるユニット本体６０を前面側から見た分解斜視図、図１０は、左側に配置されるユニット本体６０を背面側から見た分解斜視図である。また、図１１（ａ）は、可動体６３、揺動アーム６４および固定アーム６５の組み立て前の状態を背面側から見た外観斜視図、図１１（ｂ）は（ａ）の組み立て後の外観斜視図である。また、図１２は、ユニット本体６０において、可動体６３、揺動アーム６４および固定アーム６５が設けられた箇所の断面図、図１３および図１４は、図１２の可動体６３が揺動動作する手順を示した断面図、図１５は、ユニット本体６０において、モータ６７が設けられている箇所の断面図である。尚、図９および図１０においては、第１炎装飾部材４１の記載が省略されている。また、図１２〜図１５においては、第１炎装飾部材４１およびＬＥＤ基板７５の記載が省略されている。
【００４８】
図９および図１０に示されるように、ユニット本体６０には、可動体６３，６３，６３、揺動アーム６４，６４，６４、固定アーム６５，６５，６５、付勢部材６６，６６，６６、カム７３，７３，７３、回転軸７１、モータ６７およびＬＥＤ基板７５などが備えられている。
【００４９】
ユニット本体６０は、上下に延びた略直方体形状を有すると共に、前後に二分割可能となっており、この場合、前側ケース６１と後側ケース６２を備えている。前側ケース６１の前面側には、略矩形状のＬＥＤ基板７５が取付可能になっている。図９に示されるように、ＬＥＤ基板７５の前面には、複数のＬＥＤ（発光ダイオード）７６が実装されている。これらＬＥＤ７６からの光は、透明または半透明からなる第１装飾部材４１に、その背面側から照射することが可能になっている。また、図示されるように、ＬＥＤ基板７５の背面には、位置検出スイッチ７７が実装されている。
【００５０】
また、ユニット本体６０の内部には、揺動アーム６４，６４，６４の一部と、付勢部材６６，６６，６６と、カム７３，７３，７３と、回転軸７１およびモータ６７が所定の箇所に収納可能になっている。
【００５１】
図１１および図１２に示されるように、揺動アーム６４は、前方に向かって湾曲した略円弧形状を有しており、金属製軸体からなるピン８１が挿通されるピン挿通孔６４ａが貫通形成された円筒状の基端部６４ｂを備えている。また、揺動アーム６４は、基端部６４ｂから側方（右方向）に向かって延びた延設部６４ｃと、この延設部６４ｃから更に側方（右方向）に向かうと共に前方に傾斜するように延びた傾斜部６４ｄと、この傾斜部６４ｄの先端に設けられ金属製軸体からなるピン８２が挿通されるピン挿通孔６４ｆが開口形成された先端部６４ｇを備えている。
【００５２】
このピン挿通孔６４ｆは、横長円形状に形成されており、図１１および図１２に示されるように、可動体６３に取り付けられたピン８２が、この横長円形状を有するピン挿通孔６４ｆ内において移動可能に遊挿された状態にすることができるようになっている。したがって、揺動アーム６４の前後方向への揺動動作を引っ掛かりなくスムーズにすることが可能になっている。また、揺動アーム６４の延設部６４ｃの前面側部分は、後述するカム７３の摺接突起部７３ｂの摺接離間面７３ｃがその回転の際に摺接されるカム従動部６４ｈとして機能するようになっている。
【００５３】
この場合、揺動アーム６４の基端部６４ｂは、図１０および図１２に示されるように、前側ケース６１の前壁６１ａの側端（左端）から後方に向かって立設された取付台部６１ｂに回動可能になるように取り付けられるようになっている。この場合、取付台部６１ｂは、図１０に示されるように、前側ケース６１の側端（左端）の上下方向に沿った３箇所に等間隔になるように設けられている。
【００５４】
この取付台部６１ｂの中央には、揺動アーム６４の基端部６４ｂが配置される空間として切り欠かれた切欠部６１ｃが形成されている。また、この切欠部６１ｃの上下両側には、ピン８１の上下両端が収納されるピン受け溝６１ｄ，６１ｄが凹設されている。したがって、ピン８１が挿入された基端部６４ｂを、取付台部６１ｂの切欠部６１ｃ内に配置すると共に、ピン８１の上下両端を、ピン受け溝６１ｄ，６１ｄ内に収納することで、揺動アーム６４は基端部６４ｂを中心にして前後に揺動（回動）自在に取付台部６１ｂに軸支されるようになっている。尚、図９および図１２に示されるように後側ケース６２の内部には、切欠部６１ｃおよびピン受け溝６１ｄ，６１ｄの開口部（後端面）を閉塞可能な蓋部６２ｄが設けられている。
【００５５】
後側ケース６２の右端部には、揺動アーム６４の前後方向への揺動をガイド（案内）するために、その揺動アーム６４の両脇に配置されるガイド壁６２ａ，６２ａが前方に向かって立設されている。このガイド壁６２ａ，６２ａ間には、側方（右方向）に向かって長方形状に開口したガイド開口部６２ｂが形成されており、このガイド開口部６２ｂから右方向に向かって揺動アーム６４の傾斜部６４ｄおよび先端部６４ｇが露出（突出）されるようになっている。このガイド開口部６２ｂの前後の長さは、揺動アーム６４の前後方向への揺動動作の範囲（揺動経路）の長さよりも長くなるように形成されている。このガイド開口部６２ｂ（ガイド壁６２ａ，６２ａ）によって揺動アーム６４は、その傾斜部６４ｄがガイドされることで、前後方向に安定した揺動動作（往復動作）が可能になっている。
【００５６】
また、揺動アーム６４の延設部６４ｃの途中部位には、図１０および図１２に示されるように、付勢部材としてコイルバネからなる付勢バネ６６の一端側の取付円環部６６ａが、ネジ等によって係止されるバネ係止部６４ｉが設けられている。この場合、このバネ係止部６４ｉに一端側の取付円環部６６ａが係止された付勢バネ６６の他端側の取付円環部６６ｂは、前側ケース６１の前壁６１ａから前方に向かって突出形成されたバネ係止片６１ｆに係止可能となっている。図１２に示されるように、この付勢バネ６６の引っ張りによって揺動アーム６４は前面側に向かって付勢された状態にされている。
【００５７】
固定アーム６５は、前方に向かって湾曲した略円弧形状を有しており、図１０および図１２に示されるように、後側ケース６２の後面に設けられた取付部６２ｃにネジ止め等によって固定される矩形状の基端部６５ａを備えている。また、図１１および図１２に示されるように、固定アーム６５は、基端部６５ａから側方（右方向）に向かうと共に前方に傾斜するように延びた傾斜部６５ｂと、この傾斜部６５ｂの先端に設けられ金属製軸体からなるピン８３が挿通されるピン挿入孔６５ｃが貫通形成された円筒状の先端部６５ｄを備えている。
【００５８】
この場合、固定アーム６５は、揺動アーム６４の揺動経路上に重ならないように、つまり前後方向に揺動動作（往復動作）する揺動アーム６４の邪魔とならないように、その揺動アーム６４と上下方向において横並びになるように配置されている。この場合、固定アーム６５の基端部６５ａは、ガイド壁６２ａ，６２ａの一方に隣り合うように設けられた取付部６２ｃにネジ止め等によって固定される。したがって、前後方向に揺動動作する揺動アーム６４と固定アーム６５とが干渉してしまうことが防止されると共に、揺動アーム６４と固定アーム６５が前後に重なるように、つまり揺動アーム６４の揺動経路上に固定アーム６５が重なるように配置される場合と比べて、揺動アーム６４の揺動可能範囲を広く（揺動経路を長く）することが可能になっている（図１２〜図１４参照）。
【００５９】
また、固定アーム６５の円筒状の先端部６５ｄは、揺動アーム６４の先端部６４ｇに対して横方向において並列に配置されるようになっている。この場合、固定アーム６５の傾斜部６５ｂの先端部側の端部と円筒状の先端部６５ｄとの間は、その先端部６５ｄを、揺動アーム６４の先端部６４ｇとほぼ並列（横一列）に配置されるようにその先端部６４ｇ側に向かって所定の間隔でオフセットさせるために、段付き状に上方に突出された連結部６５ｆによって連結されている。このように、固定アーム６５の先端部６５ｄは、連結部６５ｆによって、揺動アーム６４の先端部６４ｇに対して横方向において並列になるように配置されているので、これら揺動アーム６４の先端部６４ｇと固定アーム６５の先端部６５ｄを連結するように、それぞれの先端部６４ｇ，６５ｄに回動自在に軸支される可動体６３の揺動アーム６４を介しての前後方向への往復動作（揺動動作）をスムーズにすることが可能になっている。
【００６０】
図１１に示されるように、可動体６３は、揺動アーム６４の揺動動作の面に対して並行に配置され、上面視で略三角形を有する板状の本体部６３ａと、この本体部６３ａの前端から上方に向かって連設され、第２炎装飾部材４２が取り付けられる取付面を有する装飾部材取付部６３ｂを備えている。この場合、装飾部材取付部６３ｂは、略三角形の本体部６３ａの底辺に相当する部分に連設されている。また、装飾部材取付部６３ｂには、装飾部材取付孔６３ｃが貫通形成されており、ネジ等によりこの装飾部材取付孔６３ｃを通じて第２炎装飾部材４２の内部に設けられた図示しない取付ボスにネジ止めすることにより、第２炎装飾部材４２を可動体６３の装飾部材取付部６３ｂに固定することが可能になっている。
【００６１】
また、図示されるように、可動体６３の本体部６３ａには、その下面から下方に突出された２つの筒状凸部６３ｄ，６３ｆを備えている。一方の筒状凸部６３ｄは、略三角形の本体部６３ａの頂点に相当する位置に設けられており、揺動アーム６４の先端部６４ｇのピン挿通孔６４ｆに挿通されたピン８２の一端が挿入されて支持されるピン支持孔６３ｇが形成されている。
【００６２】
また、ピン８２の他端は、可動体６３の本体部６３ａに対向して平行に配置される略Ｌ字形のピン支持板８４のピン支持孔８４ａに挿入されて支持されるようになっており、ピン支持板８４を、本体部６３ａに取り付けることで、可動体６３は、揺動アーム６４の先端部６４ｇに回転自在に軸支されるようになっている。
【００６３】
また、他方の筒状凸部６３ｆは、略三角形の本体部６３ａの装飾部材取付部６３ｂ側の底辺の一方の頂点に相当する位置、この場合、ユニット本体６０から遠い方の頂点に相当する位置に設けられており、固定アーム６５の先端部６５ｄのピン挿通孔６５ｃに挿通されたピン８３の一端が挿入されて支持されるピン支持孔６３ｈが形成されている。また、ピン８３の他端は、ピン支持板８４のピン挿入孔８４ｂに挿入されて支持されるようになっており、ピン支持板８４を、本体部６３ａに取り付けることで、可動体６３は、固定アーム６５の先端部６５ｄに回転自在に軸支されるようになっている。
【００６４】
尚、可動体６３の本体部６３ａには、下方に突出した円筒状の取付用ボス６３ｉ，６３ｊが設けられている。この場合、一方の取付用ボス６３ｉは、略三角形の本体部６３ａの装飾部材取付部６３ｂ側の底辺の他方の頂点に相当する位置、この場合、ユニット本体６０に近い方の頂点に相当する位置で、筒状凸部６３ｄよりも前方に配置されるように設けられている。また、他方の取付用ボス６３ｊは、筒状凸部６３ｆより側方の外側の位置に設けられている。
【００６５】
このような本体部６３ａの取付用ボス６３ｉ，６３ｊに対応してピン支持板８４には、取付用貫通孔８４ｃ，８４ｄが形成されており、ピン支持板８４は、取付用貫通孔８４ｃ，８４ｃを通じてネジ等により取付用ボス６３ｉ，６３ｊに固定されるようになっている。
【００６６】
このように可動体６３は、上述した揺動アーム６４の先端部６４ｇと固定アーム６５の先端部６５ｄを連結するように、それぞれの先端部６４ｇ，６５ｄに回動自在に軸支されている（図１１（ｂ）および図１２参照）。
【００６７】
図１０および図１５に示されるように、ユニット本体６０の内部には、上下方向に延びる金属製軸体からなる回転軸７１が回転自在に設けられている。具体的には、前側ケース６１の中心位置よりも可動体６３が配置される側に寄った位置に、回転軸７１は配置されている。前側ケース６１の内部には、回転軸７１を回転自在に保持する回転軸保持部６１ｇが、上部、中央部および下部の３箇所にそれぞれ設けられている。回転軸保持部６１ｇは、前壁６１ａから後方に立設された左右一対の軸把持片６１ｊ，６１ｊを備えている（図１５参照）。
【００６８】
また、図１０および図１２に示されるように、回転軸７１の上部、中央部および下部の３箇所には、カム７３，７３，７３がそれぞれ等間隔に配置されるように固定されており、回転軸７１と一体回転可能になっている。このカム７３は、回転軸７１が圧入気味に挿入されてその回転軸７１に固定される円筒部７３ａと、この円筒部７３ａに連設され側方（右方向）に向かって突出した摺接突起部７３ｂを有している。図１２に示されるように、この摺接突起部７３ｂには、カム７３（回転軸７１）の回転中心から円弧を描いて離れる摺接離間面７３ｃと、回転方向に略垂直な垂直面７３ｄとが回転方向に対して形成されている。この場合、摺接離間面７３ｃは、その基端面７３ｆから先端面７３ｇに近づくに従ってカム７３の回転中心から徐々に離れていくように形成されている。
【００６９】
このカム７３は、ユニット本体６０の内部において、揺動アーム６４の前方に配置されており、その摺接離間面７３ｃを、揺動アーム６４の延設部６４ｃの前端面であるカム従動部６４ｈに摺接（摺動可能に当接）させながら、揺動アーム６４のカム従動部６４ｈを、付勢バネ６６の前方への付勢（引っ張り）に抗して後方へと押圧することが可能となっている。
【００７０】
また、図９および図１５に示されるように、回転軸７１の途中部位には、可動ギア７２が同軸状に固定されており、可動ギア７２は回転軸７１と一体回転可能になっている。この可動ギア７２には、モータ６７の駆動軸６７ａに固定された駆動ギア６８が噛合されており、モータ６７の駆動によって、回転軸７１は、駆動ギア６８および可動ギア７２を介して回転動されるようになっている。このような回転駆動源であるモータ６７としては、ステッピングモータが適用されており、駆動ギア６８を正転方向に所定角度回転させたり、反転方向に所定角度回転させたりすることが可能になっている。この場合、モータ６７は、図１０および図１５に示されるように、モータ取付板８５を介して、前側ケース６１の前壁６１ａから後方に立設されたボス６１ｈ，６１ｈにネジ止め等によって固定される。
【００７１】
また、図９に示されるように、回転軸７１の途中部位には、位置検出用円板８６が固定されており、この位置検出用円板８６は回転軸７１と一体回転可能になっている。この位置検出用円板８６の外周部８６ａには、その一部が切り欠かれた位置検出用切欠部８６ｂが形成されている。図７および図９に示されるように、この位置検出用円板８６に対応して前側ケース６１の前壁６１ａ（前面）には、矩形状に開口された円板露出部６１ｉが設けられており、この円板露出部６１ｉから位置検出用円板８６の外周部８６ａが露出（突出）されるようになっている。円板露出部６１ｉから露出された位置検出用円板８６の外周部８６ａは、ＬＥＤ基板７５の背面に実装された位置検出スイッチ７７の対向検知部７７ａ，７７ａの間に受容可能に配置される。
【００７２】
図９および図１０に示されるように、位置検出スイッチ７７の各対向検知部７７ａ、７７ａの内部には、図示しない位置検出素子が固定されている。これら一対の位置検出素子は、相互間で信号（例えば赤外線）を送受信することが可能になっている。このような対向検知部７７ａ，７７ａによる信号の送受信は、位置検出用円板８６の外周部８６ａによって遮ることが可能になっている。この場合、位置検出用円板８６の位置検出用切欠部８６ｂが、対向検知部７７ａ，７７ａの間に配置されることで、対向検知部７７ａ，７７ａによる信号の送受信が可能となるので、例えば、この状態を原点（基準）として駆動ギア６８を正転方向に所定角度回転させたり、反転方向に所定角度回転させたりすることが可能になっている。
【００７３】
このような構成のユニット本体６０において、可動体６３（第２炎装飾部材４２）が前後方向に往復動作（揺動動作）する手順について図１２〜図１５を用いて説明する。図１２の断面図に示されるように、カム７３は、その回転中心からの外径が最も小さい摺接離間面７３ｃの基端面７３ｆが、揺動アーム６４のカム従動部６４ｈに当接する状態になっている。
【００７４】
このとき、揺動アーム６４のカム従動部６４ｈは、付勢バネ６６による前方向への引っ張りによって、この状態のカム７３の摺接離間面７３ｃの基端面７３ｆに当接されており、揺動アーム６４の先端部６４ｇは、ユニット本体６０の前端側の待機位置（第１位置）に配置されている。この待機位置（第１位置）において、可動体６３（第２炎装飾部材４２）は後方へと倒れた姿勢（待機姿勢：第１姿勢）にされている。
【００７５】
入賞装置に遊技球が入賞して表示装置１７で表示図柄がリーチになる等、遊技状態が変化して、遊技機１に備えられる制御回路等が、ユニット本体６０のモータ６７を駆動させる命令が発生すると、制御回路はモータ６７を回転させる。このようなモータ６７の駆動によってカム７３が上面視で反時計回りに回転されると、それに伴って揺動アーム６４のカム従動部６４ｈは、付勢バネ６６の引っ張り力（弾性力）に抗して（反して）、カム７３の摺接離間面７３ｃに摺接しながら後方に移動（揺動）を開始する（図１３参照）。この場合、摺接離間面７３ｃは、基端面７３ｆから先端面７３ｇに近づくに従ってカム７３の回転中心から徐々に離れた形状を有しているので、揺動アーム６４のカム従動部６４ｈは、カム７３の回転に伴ってカム７３の回転中心から徐々に離間するように、後方に移動（揺動）されることになる。これに伴い、揺動アーム６４に先端部６４ｇに軸支された可動体６３（第２炎装飾部材４２）は、固定アーム６５に先端部６５ｄを回転中心として前方へと徐々に起き上がるように回動を始める（図１３参照）。
【００７６】
更に、カム７３が回転すると、その回転中心から外径が最も大きい摺接離間面７３ｃの先端面７３ｇが、揺動アーム６４にカム従動部６４ｈに当接する状態にされる（図１４参照）。このとき、揺動アーム６４の先端部６４ｇは、ユニット本体６０の後端側寄りの到達位置（第２位置）に配置される。この到達位置（第２位置）において、可動体６３（第２炎装飾部材４２）は前方へと起き上がった姿勢（到達姿勢：第２姿勢）にされる。
【００７７】
このようにモータ６７の駆動により、図１２に示されるようにユニット本体６０の内部において前端側に待機していた揺動アーム６４が、図１３に示されるように後方に向けて揺動されると、揺動アーム６４はユニット本体６０の内部において一旦後端側寄りの位置にまで到達し、図１４に示される状態となる。
【００７８】
その後、遊技機１の遊技状態が変化して、制御回路がモータ６７を駆動させる命令が発生すると、制御回路はモータ６７を反転方向に回転させる。このようなモータ６７の駆動によってカム７３が上面視で時計回りに回転されると、付勢バネ６６の引っ張りによって揺動アーム６４が前方向に揺動（復帰移動）されて、揺動アーム６４は、ユニット本体６０内部の前端側の待機位置にまで戻ることになる。つまり、揺動アーム６４は、その先端部６４ｇがユニット本体６０の前端側の待機位置に配置される状態を始点、先端部６４ｇがユニット本体６０の後端側寄りの到達位置に配置される状態を終点として、図１２および図１４に示される両状態の間において往復動作することが可能になっている。
【００７９】
また、このような揺動アーム６４の前後方向への往復動作（揺動動作）に伴って、可動体６３（第２炎装飾部材４２）は後方へと倒れた姿勢（待機姿勢）を始点（第１位置）、前方へと起き上がった姿勢（到達姿勢）を終点（第２位置）として、図１２および図１４に示される両姿勢の間（第１位置と第２位置の間）において往復動作（揺動動作）することが可能になっている。
【００８０】
このような可動演出ユニット５０によれば、ユニット本体６０の一側面側に並んで配置される複数の可動体６３と、この可動体６３と対になって設けられ、各可動体６３を所定方向に往復揺動可能にする複数の揺動アーム６４および固定アーム６５と、これら揺動アーム６４および固定アーム６５と対になって設けられ、各揺動アーム６４を所定の往復方向のうち一方の方向に付勢する複数の付勢部材６６および各揺動アーム６４に設けられたカム従動部６４ｈを所定の往復方向のうち他方の方向に押圧する複数のカム７３と、これら複数のカム７３を往復回転動させる回転駆動源６７を備えた構成になっているので、複数のカム７３が並設された一の回転軸７１を一の回転駆動源６７で往復回転動させるだけで、複数の可動体６３が連動するように所定方向にそれぞれ安定して往復揺動させることが可能になっている。
【００８１】
したがって、複数の可動体６３をそれぞれ所定方向に往復揺動させるために複数の駆動源を用いることなく、複数の可動体６３のそれぞれの往復揺動を一の駆動源で安定して連動させることが可能となっている。したがって、このような複数の可動体６３をそれぞれ往復揺動させるための機構が複雑化してしまうことが抑制されると共に、遊技機１という限られた空間にこのような可動演出ユニット５０をコンパクトに配置することが可能となっている。
【００８２】
この場合、揺動アーム６４は、その基端部６４ｂがユニット本体６０に回転自在に軸支されると共に、固定アーム６５は、その基端部６５ａがユニット本体６０に固定されている構成になっているので、揺動アーム６４をその基端部６４ｂを中心にして所定方向に揺動させるだけで、可動体６３を固定アーム６５の先端部６５ｄを中心に所定方向に往復揺動させることができるので、可動体６３（第２炎装飾部材）を、揺動アーム６４の先端部６４ｇおよび固定アーム６５の先端部６５ｄにおいて容易、かつ安定して往復揺動させることが可能になっている。
【００８３】
また、固定アーム６５は、揺動アーム６４の揺動経路に重ならないように、その揺動アーム６４と横並びになるように配置されている構成になっているので、所定方向に揺動する揺動アーム６４が固定アーム６５と干渉することが防止されると共に、固定アーム６５が揺動アーム６４の往復揺動の方向において重なるように配置される場合と比べて、揺動アーム６４の揺動可能範囲を広く（揺動経路を長く）することができるので、それに伴って可動体６３の所定方向への往復動作範囲を大きくすることが可能となり、その演出効果を更に向上させることができる。
【００８４】
更に、揺動アーム６４は、その基端部６４ｂから側方に向かうと共に前方に傾斜するように延設された揺動アーム傾斜部６４ｄを有すると共に、固定アーム６５は、その基端部６５ａから側方に向かうと共に前方に傾斜するように延設された固定アーム傾斜部６５ｂを有している構成になっているので、ユニット本体６０の前面よりも前方の位置に、つまり遊技者により近い位置に、揺動アーム６４の先端部６４ｇおよび固定アーム６５の先端部６５ｄにそれぞれ軸支された可動体６３（第２炎装飾部材４２）を配置することができるので、可動体６３（第２炎装飾部材４２）の往復動作をより目立たせることが可能となり、その演出効果をより際立たせることができる。
【００８５】
また、可動演出ユニット５０は、ユニット本体６０を所定方向にスライド可能にするスライド機構９０を備えているので、複数の可動体６３（第２炎装飾部材４２）が設けられたユニット本体６０を所定方向に移動させることにより、更にその演出効果を向上させることができる。
【００８６】
このようなスライド機構９０は、ユニット本体６０の一端をスライド可能に支持する所定方向に延びたガイドレール９１と、ユニット本体６０の他端に固定され所定方向に延びるラックギア部材９５と、該ラックギア部材９５に噛合するピニオンギア９６と、該ピニオンギア９６を回転駆動させるギア回転駆動源９７とを有した構成になっているので、簡易な機構でユニット本体６０を所定方向にスライドさせることができると共に、スライド機構９０の大型化が抑制されている。
【００８７】
この場合、ユニット本体６０は、遊技機１の所定方向両側に対になって設けられると共に、一対のユニット本体６０のそれぞれに設けられた可動体６３（第２炎装飾部材４２）は、互いに対向するように配置されている構成になっているので、可動体６３（第２炎装飾部材４２）が設けられた２つのユニット本体６０を遊技機１の所定方向両側から接近させ、その接近させた状態でそれぞれに設けられた可動体６３（第２炎装飾部材４２）を所定方向に往復動作させる等の種々なる態様で遊技を演出することが可能であり、更に可動演出ユニット５０による演出効果を向上させることができる。
【００８８】
以上本発明に係る遊技機の実施の形態について説明したが、上述した実施の形態に何ら限定されるものではなく、本発明の趣旨を逸脱しない範囲で種々の改変が可能である。例えば、上述した可動演出ユニット５０は、遊技機１の遊技領域６に配設された構成を示したが、そのような構成に限るものではなく、遊技機１の枠等の配設可能な位置であれば、どこでも良く、上述した実施の形態には限定されない。また、ユニット本体６０のスライド方向は左右方向に限るものではなく、例えば、前後方向、斜め方向などにスライドさせるようにしても良い。
【００８９】
更に、揺動アーム６４の揺動方向は前後方向に限るものではなく、例えば、左右方向、斜め方向などに揺動させるようにしても良い。また、揺動アーム６４の基端部６４ｂは、ユニット本体６０の内部に配設した構成を示したが、ユニット本体６０の外部に配設した構成にしても良く、上述した実施の形態には限定されない。
【符号の説明】
【００９０】
１：遊技機    ５：遊技盤    ６：遊技領域    １７：表示装置
３０：センター役物    ４０：前面側装飾部材    ４０ａ：開口部
４１：第１炎装飾部材    ４２：第２炎装飾部材    ５０：可動演出ユニット
５１：センターベース    ６０：ユニット本体    ６１：前側ケース
６１ｂ：取付台部    ６１ｃ：切欠部    ６１ｄ：ピン受け溝
６１ｆ：バネ係止片    ６１ｇ：回転軸保持部    ６２：後側ケース
６２ａ：ガイド壁    ６２ｂ：ガイド開口部    ６２ｃ：取付部
６３：可動体    ６３ａ：本体部    ６３ｂ：装飾部材取付部
６３ｇ，６３ｈ：ピン支持孔    ６４：揺動アーム    ６４ａ：ピン挿通孔
６４ｂ：基端部    ６４ｃ：延設部    ６４ｄ：傾斜部    ６４ｆ：ピン挿通孔
６４ｇ：先端部    ６４ｈ：カム従動部    ６４ｉ：バネ係止部
６５：固定アーム    ６５ａ：基端部    ６５ｂ：傾斜部
６５ｃ：ピン挿通孔    ６５ｄ：先端部    ６５ｆ：連結部    ６６：付勢バネ
６７：モータ    ６７ａ：駆動軸    ６８：駆動ギア    ７１：回転軸
７２：可動ギア    ７３：カム    ７３ｂ：摺接突起部    ７３ｃ：摺接離間面
７３ｆ：基端面    ７３ｇ：先端面    ７５：ＬＥＤ基板
８１，８２，８３：ピン    ８４：ピン支持板    ９０：スライド機構
９１：ガイドレール    ９２：ガイドローラー    ９３：フレーム
９４：スライドレール    ９５：ラックギア部材    ９６：ピニオンギア
９７：モータ    ９８：駆動ギア
【図１】
2011224164.tif 000003
【図２】
2011224164.tif 000004
【図３】
2011224164.tif 000005
【図４】
2011224164.tif 000006
【図５】
2011224164.tif 000007
【図６】
2011224164.tif 000008
【図７】
2011224164.tif 000009
【図８】
2011224164.tif 000010
【図９】
2011224164.tif 000011
【図１０】
2011224164.tif 000012
【図１１】
2011224164.tif 000013
【図１２】
2011224164.tif 000014
【図１３】
2011224164.tif 000015
【図１４】
2011224164.tif 000016
【図１５】
2011224164.tif 000017